(57)【要約】【課題】本発明は、構造が単純で、組立てが簡易な倉庫兼作業場であり、その設置場所を変更移動することも簡易であり、また、荷物や部品の出し入れが容易であって、作業能率を高めることができる蛇腹式倉庫兼作業場を提供するものである。【解決手段】トンネル状の両端部支柱と中間支柱群を立設し、該支柱群の外側を覆う被覆資材を備え、前記中間支柱群をトンネル軸方向に移動可能にし、かつ、被覆資材を該支柱群に連結して前記中間支柱群の移動とともに展開し又は畳めるように配設した蛇腹式倉庫兼作業場において、前記両端部支柱が固定されており、両端部の支柱でそれぞれ両足元と中央頂部を結んで張設して固定したワイヤ又は棒体を設け、前記各中間支柱の脚部が、前記両足元に設けたワイヤ又は棒体に遊嵌して摺動可能にすると共に、前記各中間支柱の中央頂部が、前記中央頂部に設けたワイヤ又は棒体に遊嵌して摺動可能に構成したことを特徴とする。【選択図】図１
2013011113.tif 000002
【特許請求の範囲】
【請求項１】
トンネル状の両端部支柱と中間支柱群を立設し、該支柱群の外側を覆う被覆資材を備え、前記中間支柱群をトンネル軸方向に移動可能にし、かつ、被覆資材を該支柱群に連結して前記中間支柱群の移動とともに展開し又は畳めるように配設した蛇腹式倉庫兼作業場において、前記両端部支柱が固定されており、両端部の支柱でそれぞれ両足元と中央頂部を結んで張設して固定したワイヤ又は棒体を設け、前記各中間支柱の脚部が、前記両足元に設けたワイヤ又は棒体に遊嵌して摺動可能にすると共に、前記各中間支柱の中央頂部が、前記中央頂部に設けたワイヤ又は棒体に遊嵌して摺動可能に構成したことを特徴とする蛇腹式倉庫兼作業場。
【請求項２】
蛇腹式倉庫兼作業場の任意の相隣合う支柱間で被覆資材を分割した個所を少なくとも一つ以上設けると共に、該分割個所の該支柱同士を結合可能又は分離可能にしたことを特徴とする請求項１に記載の蛇腹式倉庫兼作業場。
【請求項３】
妻部に妻部用被覆資材を備えており、該妻部用被覆資材がその中央部で縦方向に分割又は結合可能にしたことを特徴とする請求項１又は２に記載の蛇腹式倉庫兼作業場。
【請求項４】
前記棒体が、複数の棒体片に分割されており、前記棒体片同士を着脱自在に嵌合又は螺合して連結可能にしたことを特徴とする請求項１から３のいずれかに記載の蛇腹式倉庫兼作業場。
【請求項５】
前記中間支柱の両足元と中央頂部に、前記ワイヤ又は棒体と遊嵌する環体又はＣ字状環体を設けていることを特徴とする請求項１から４のいずれかに記載の蛇腹式倉庫兼作業場。
【請求項６】
前記被覆資材が、屈曲自在なシート状であり、かつ、ブルーシート、熱線遮断シート及び紫外線遮断シートから少なくとも１つを選択してなることを特徴とする請求項１から５のいずれかに記載の蛇腹式倉庫兼作業場。
【発明の詳細な説明】
【技術分野】
【０００１】
本発明は、空き地や農地において、一人で簡単に組み立てることができる簡易な倉庫兼作業場であって、屋根と側壁を展開又は畳めるように構成し、荷物の積降や積込みを快適にする蛇腹式倉庫兼作業場に関するものである。
【背景技術】
【０００２】
農作業をするのに、電動工具等の道具類や石灰などの薬剤は雨に濡れて困るものであり、それらをを収納するのに、農圃のそばに一人で組み立てることができる簡易な倉庫があれば大変便利であり有益である。
【０００３】
そこで、一人で組立てることができる倉庫が研究開発されており、例えば、部品の点数を少なくし、柱がほぞによって自立させることにより組み立て作業が楽にできる有効な手段が先行技術として開示されている〔参考文献１〕。
【先行技術文献】
【特許文献】
【０００４】
【特許文献１】特開２００３−１６６３５９公報（〔０００３〜００１４〕、〔図１〜図７〕）
【発明の概要】
【発明が解決しようとする課題】
【０００５】
先行技術は、組立て作業を簡素化するために部材の種類を少なくしていても、やはり、隅柱、間柱、壁等があり部材数が多く一人で組み立てることが難しい、また、屋根を設置する作業が手間をとる高所作業となるので、簡単に設置場所を変更することができないという不便な点があった。
【０００６】
本発明は、これらの問題を解決したものであって、構造が単純で、組立てが簡易な倉庫兼作業場であり、しかも、その設置場所を変更移動することも簡易であり、また、大型の倉庫や作業場としても荷物や部品の出し入れが容易であって、作業能率を高めることができる蛇腹式倉庫兼作業場を提供するものである。
【課題を解決するための手段】
【０００７】
上記の目的を達成するために、本発明の請求項１に係る蛇腹式倉庫兼作業場は、トンネル状の両端部支柱と中間支柱群を立設し、該支柱群の外側を覆う被覆資材を備え、前記中間支柱群をトンネル軸方向に移動可能にし、かつ、被覆資材を該支柱群に連結して前記中間支柱群の移動とともに展開し又は畳めるように配設した蛇腹式倉庫兼作業場において、前記両端部支柱が固定されており、両端部の支柱でそれぞれ両足元と中央頂部を結んで張設して固定したワイヤ又は棒体を設け、前記各中間支柱の脚部が、前記両足元に設けたワイヤ又は棒体に遊嵌して摺動可能にすると共に、前記各中間支柱の中央頂部が、前記中央頂部に設けたワイヤ又は棒体に遊嵌して摺動可能に構成したことを特徴とする。
【０００８】
この構成を採用することにより、蛇腹式倉庫兼作業場は、今までの倉庫と違い、簡易な構造であり部材も軽量であるので、設営用のクレーンも不要で一人で簡単に組み立てることができる。また、分解も簡単であるので、設置場所を変更する移設も容易である。また、組み立て後に、蛇腹式倉庫兼作業場の中間支柱群トンネル軸方向に移動して展開すれば、各支柱に被覆資材が連結されているので、被覆資材も展開されて密閉式の倉庫兼作業場を容易に形成することができる。一方、中間支柱群をその支柱の間隔を無くすように詰めて移動すれば、それに連れて被覆資材を畳めるので、蛇腹式倉庫兼作業場の側壁や屋根を開放して、オープンスペースとすることができる。前述したように、倉庫兼作業場をクローズドスペース又はオープンスペースにする作業が容易であって、倉庫又は作業場に適した作業環境を随時、任意に選択して構築することができる。
【０００９】
請求項２に係る蛇腹式倉庫兼作業場は、請求項１に記載の蛇腹式倉庫兼作業場において、蛇腹式倉庫兼作業場の任意の相隣合う支柱間で被覆資材を分割した個所を少なくとも一つ以上設けると共に、該分割個所の該支柱同士を結合可能又は分離可能にしたことを特徴とする。
【００１０】
この構成を採用することにより、中間支柱群を間隔を無くすように詰めて移動すれば、それに連れて被覆資材を畳めるので、蛇腹式倉庫兼作業場の側部（長辺部）から、作業場への出入りや荷物の搬入又は搬出が容易となる。よって、重たい荷物を搬入又は搬出する場合には、トラックなどの車を倉庫の中の側部のすぐ横に横付けられるので、楽に荷物などの搬出入の作業ができる。
【００１１】
また、作業場として使用する場合にも、中間支柱群を間隔を無くすように詰めて移動し、それに連れて被覆資材を畳んで使用すれば、作業場がオープンスペースの状態となるので、換気が必要な作業、例えば、塗装作業や溶接作業を行うのに都合がよく、また、作業終了時に支柱群と被覆材を移動して展開すれば、そのまま倉庫の状態となり、片付けが楽で、しかも、作業に使った物が雨に濡れないようにすることができる。
【００１２】
請求項３に係る蛇腹式倉庫兼作業場は、請求項１又は２の蛇腹式倉庫兼作業場において、妻部に妻部用被覆資材を備えており、該妻部用被覆資材がその中央部で縦方向に分割又は結合可能にしたことを特徴とする。
【００１３】
この構成を採用することにより、通常の出入りは、蛇腹式倉庫兼作業場の妻部からでき、通常の荷物を搬入する場合には、支柱やそれに連結された被覆資材を動かさずに作業ができる。また、妻部にも、被覆資材を設けているので、倉庫を密閉でき窃盗を防止し、保安状態を良好にすることができる。また、作業場として使用する場合にも、妻部から風が入らないので、軽量な保管物も風であおられたり埃が入ることがなく、特に冬期において作業者は寒い思いをせずに作業できる。
【００１４】
請求項４に係る蛇腹式倉庫兼作業場は、請求項１から３のいずれかの蛇腹式倉庫兼作業場において、前記棒体が、複数の棒体片に分割されており、前記棒体片同士を着脱自在に嵌合又は螺合して連結可能にしたことを特徴とする。また、請求項５に係る蛇腹式倉庫兼作業場は、前記支柱が、請求項１から４のいずれかの蛇腹式倉庫兼作業場において、前記中間支柱の両足元と中央頂部に、前記ワイヤ又は棒体と遊嵌する環体又はＣ字状環体を設けていることを特徴とする。また、請求項６に係る蛇腹式倉庫兼作業場は、請求項１から５のいずれかの蛇腹式倉庫兼作業場において、前記被覆資材が、屈曲自在なシート状であり、かつ、ブルーシート、熱線遮断シート及び紫外線遮断シートから少なくとも１つを選択してなることを特徴とする。
【００１５】
これらの構成を採用することにより、蛇腹式倉庫兼作業場の支柱を展開し又は畳む場合に、各支柱の根元にある脚部は、蛇腹式倉庫兼作業場の床面近くの側部に敷設された棒線や撚線などのワイヤ又は丸棒や角棒などの棒体が蛇腹式倉庫兼作業場の両端位置で固定され、中間位置では床面から浮かせるように設置されており、支柱の脚部、例えばリング状に成形された脚部がワイヤ又は棒に嵌められている。また、各支柱の中央頂部は、蛇腹式倉庫兼作業場の中央の高所に張設された棒線や撚線などのワイヤ又は丸棒や角棒などの棒体が両端部で固定され、中間部を浮かせるように設置されており、支柱の中央頂部、例えばリング状に成形された環を有する中央頂部が前記ワイヤ又は棒に嵌められている。したがって、蛇腹式倉庫兼作業場の組み立て設置が容易であり、支柱をトンネルの軸方向に移動できると共に、蛇腹式倉庫兼作業場が風に煽られて飛ばないようにすることができる。また、支柱は、中央頂部と脚部の三点で支持されているので、背丈が高い支柱となっても、支柱を垂直に支持し易く倒れることが少なく、かつ、移動も容易である。また、支柱は、トンネル状に曲げるために棒状又は板状の形状が良い。また、前述したように支柱の脚部をワイヤ又は棒体に嵌めて立設する構造であるので、脚部の先端を環状又は一部が欠除したＣリングとした形状にする必要があり、加工し易い金属製か、又は成型し易く屈曲性のある合成樹脂製が好適である。また、棒体は、一つが０．３ｍ〜２ｍぐらいに分割可能であり、分割された棒体の片端を凸部又はオスねじ、他端を凹部又はメスねじとして簡単に嵌合又は螺合して連結できる構造が、設営が簡単でかつ持ち運びが楽で良い。
【００１６】
また、蛇腹式倉庫兼作業場の屋根や壁を形成する被覆資材には、屈曲自在な薄厚のシート状であって、蛇腹式倉庫兼作業場の目的及び用途に応じて、ブルーシート、熱線遮断シート、紫外線遮断シート等を或いはそれらを使い分けることができる。ブルーシートは、価格も安く入手も容易である。また、熱線遮断シートを使用すれば、、夏場でも作業場内の温度が高温になることを防ぐことができ、また、紫外線防止シートを用いれば、倉庫内に保管している物、例えば、プラスチック製品の劣化を抑えることができる。
【発明の効果】
【００１７】
本発明に係る請求項１から６に記載の蛇腹式倉庫兼作業場によれば、倉庫兼作業場をクローズドスペース又はオープンスペースにする作業が容易であって、倉庫又は作業場に適した作業環境を随時、任意に選択して構築することができる。さらに、重量物や大型荷物を搬入、搬出する場合でも、蛇腹式倉庫兼作業場の側面部を開口して、荷物を搬入、搬出のできるので大変便利である。また、人では運べない重量物でも、屋根が開くのでクレーン車やキャブバッククレーン車（ユニック車）を使用して、重量物を搬入、搬出することが可能となる。
【００１８】
また、本発明の蛇腹式倉庫兼作業場は、従来の倉庫に比べて簡易な構造であるから設備費を安くすることができる。また、組立てが容易で一人でも組み立てが可能であるから設営地の制約が少ない、特に農作業をする場合に、田畑や果樹園の近辺の空地に手軽に設置でき、また、不要になればすぐに撤去できるので、広い農地であっても、蛇腹式倉庫兼作業場を使い回すことができるから、倉庫の稼働率を上げることができる。
【図面の簡単な説明】
【００１９】
【図１】本発明の実施するための形態に係る蛇腹式倉庫兼作業場であって、（ａ）は支柱と被覆資材を展開している場合の模式的全体斜視図、（ｂ）は支柱脚と支柱中央頂部の摺動部の模式的斜視図である。
【図２】本発明の実施するための形態に係る蛇腹式倉庫兼作業場であって、（ａ）は支柱と被覆資材を畳み込んだ場合の模式的全体斜視図、（ｂ）は支柱と被覆資材を分割している場合の模式的全体斜視図である。
【図３】本発明の実施するための形態に係る蛇腹式倉庫兼作業場であって、（ａ）は分割部の支柱と被覆資材を展開している場合の模式的側面図、（ｂ）は分割部の支柱と被覆資材を分割している場合の模式的側面図である。
【発明を実施するための形態】
【００２０】
本発明に係わる蛇腹式倉庫兼作業場を実施するための形態について図１、２、３を用いて説明する。図１は、本発明の実施するための形態に係る蛇腹式倉庫兼作業場であって、（ａ）は支柱と被覆資材を展開している場合の模式的全体斜視図、（ｂ）は支柱脚と支柱中央頂部の摺動部の模式的斜視図であり、図２の（ａ）は支柱と被覆資材を畳み込んだ場合の模式的全体斜視図、（ｂ）は支柱と被覆資材を分割している場合の模式的全体斜視図であり、図３の（ａ）は分割部の支柱と被覆資材を展開している場合の模式的側面図、（ｂ）は分割部の支柱と被覆資材を分割している場合の模式的側面図である。
【００２１】
図１に示すように、蛇腹式倉庫兼作業場１は、空地等にアーチ型の各支柱２−１、２−２、２−３をトンネル状に立設し、該支柱２−２、２−３の外側を被覆資材４、４ａにより覆われて構成される。。そして、固定された両端部の支柱２−１を除き中間部の各支柱２−２、２−３をトンネルの軸方向に移動可能にし、かつ、被覆資材４を該支柱２−２、２−３に連結して支柱２−２、２−３とともに展開し又は畳めるように配設している。分割箇所では、任意の分割箇所で分割部支柱２−３を配設しており、図２（ａ）で示すように、両端部では端部支柱２−１と、また、図２（ｂ）で示すように、中間部では分割部支柱２−３同士が、支柱分割部連結部材５によって、結合及び分割が自在にできるようになっている。前述したのは一例であって、任意の箇所で、適宜、分割個所を選択できる。また、妻部には、二分割している妻部用の被覆資材４ａを端部支柱２−１に連結している。これらの構成により蛇腹式倉庫兼作業場１は、構造が簡易で設備が安く、しかもクレーン等を用いずに一人で簡単に組立、解体ができるのである。
【００２２】
各中間部支柱２−２及び分割部支柱２−３の脚部２−２−ａは、図１（ｂ）に示すように、置き場兼作業床１１の両側端に敷設された脚部レール３ａに摺動可能に嵌められる。また、同様にして各中間部支柱２−２及び分割部支柱２−３の中央頂部２−２−ｂは、頂部レール３ｂに、摺動可能に嵌められる。ここで、脚部レール３ａ及び頂部レール３ｂは、棒線や撚線などのワイヤ又は丸棒や角棒などの棒体で作られている。本発明の蛇腹式倉庫兼作業場１は、両脚部２−２−ａと頂部２−２−ｂの三点で各支柱２−２、２−３を支持するので、支柱２−２、２−３は安定して立設され、転倒のおそれがなくなる。この場合、脚部レール３ａ及び頂部レール３ｂは両端が端部支柱２−１の脚部２−1−ａと頂部２−１−ｂで支持され固定されており、中間部を浮かせるように設置される。特に、脚部レール３及び頂部レール３ｂがワイヤの場合には、ワイヤに張力を掛けるように、緊張させるの必要がある。なお、端部支柱２−１は、置き場兼作業床１１が舗装或いはコンクリートの場合には、コンクリートブロック等の重量のある端部支柱固定部材６を使用して自立している。なお、強風時には端部支柱２−１が転倒しないように控えを取るのが良い。また、置き場兼作業床１１が未舗装部であれば、端部支柱固定具（図示しない）を土中深く差し込み、それに端部支柱２−１を固結させて固定することもできる。支柱２−２、２−３の脚部２−２−ａ及び頂部２−２−ｂの構造は、脚部３ａ及び頂部３ｂがワイヤ又は棒に嵌められていて、支柱に対して直角方向に移動するため、及び、蛇腹式倉庫兼作業場１が風に煽られて飛ばないようにするために、環状又は一部が欠除したＣリングとした形状にするのがよい。また、支柱２−１、２−２、２−３は、全体がΩ型のアーチ状に曲げられた丸棒状又は板状の形状であると共に、前述したようにその脚部３ａ及び頂部３ｂを環状又は一部が欠除したＣリングとした形状に加工する必要があり、加工し易い金属製か、又は成型し易く、屈曲性のある合成樹脂製が良い。また、棒体は、一つが０．３ｍ〜２ｍぐらいの単位で分割可能であり、分割された棒体の片端を凸部又はオスねじ、他端を凹部又はメスねじとして簡単に嵌合又は螺合して連結できる構造が、設営が簡単で持ち運びが楽で良い。
【００２３】
被覆資材４は、屈曲自在な薄厚状のシートであって、支柱２−２、２−３と一緒に移動できるようにするために、支柱を内骨として連結する必要があり、支柱２−２，２−３の複数箇所に、支柱２−２、２−３が挿通できるリング状の被覆資材支柱連結部４ｂを予め被覆資材４に形成して置くか、又は、支柱２−２、２−３の骨材に対して被覆資材４と同じ共布地で挟んで接着して被覆資材支柱連結部４ｂとすることで連結可能である。
【００２４】
また、妻部には、被覆資材支柱連結部４ｂを用いて、端部支柱２−１に妻部用被覆資材４ａを連結している。妻部用被覆資材４ａは、中央部付近で縦に二分割しており、荷物１０を蛇腹式倉庫兼作業場１に搬入出するときには、二分割された妻部用被覆資材４ａをファスナーやマジックテープ（登録商標）等の留め具をはずして片側又は両側の妻部用被覆資材４ａを捲って中に入る。他方、妻部用被覆資材４ａをファスナーやマジックテープ（登録商標）等の留め具で連結すれば、埃や泥が蛇腹式倉庫兼作業場１内に入って荷物１０が汚れることを防ぐことができる。
【００２５】
また、蛇腹式倉庫兼作業場１の屋根や壁を形成する被覆資材４には、蛇腹式倉庫兼作業場１の目的及び用途に応じて、ブルーシート、熱線遮断シート、紫外線遮断シート等を使い分ける。ブルーシートは、安価で入手し易いので、頻繁に蛇腹式倉庫兼作業場１を移設する場合に用いれば、移設時に被覆資材４が傷んでも設備費を安く抑えることができる。熱線遮断シートを使用するれば、夏場でも作業場１内の気温が高温になることを防ぐことができ、また紫外線遮断シートを用いれば、倉庫１内に保管している物、例えば、プラスチック製品の劣化を抑えることができる。
【００２６】
次に、図２、３を用いて使用方法を説明する。通常は、蛇腹式倉庫兼作業場１の妻部側から人が出入りし、荷物１０を出入れする。また、荷物１０を保管する場合には、中間部支柱２−２、分割部支柱２−３及び被覆資材４を展開して、分割部支柱２−３同士、分割部支柱２−３と端部支柱２−１と、を結合させて固定する。これによって、荷物１０が被覆資材４によって完全に覆われるので、雨、ほこりによって荷物１０が汚れたり、紫外線による劣化を防止することができる。
【００２７】
蛇腹式倉庫兼作業場１は、分割個所を複数とることができる（本例では二分割）。隣合う分割部支柱２−３同士の間、或いは、端部支柱２−１と分割部支柱２−３間は、支柱分割部連結部材５を用いて、結合可能に又は分割可能に自在に構成している。なお、分割位置である分割部支柱２−３同士の間、或いは、端部支柱２−１と分割部支柱２−３との間には、被覆資材４はない。よって、分割した分割部支柱２−３同士の間、或いは、端部支柱２−１と分割部支柱２−３との間の、結合又は分割が簡易に行える。
【００２８】
即ち、中間部支柱２−２、分割部支柱２−３及び被覆資材４を畳むこと又は分割部支柱２−３を分割させることによって、蛇腹式倉庫兼作業場１の側部から、人の出入りや荷物の搬出入をし易くできる。したがって、長さが長い蛇腹式倉庫兼作業場１を使用する場合や、重量のある荷物１０を搬出入する場合に、妻部の出入り口まで行く必要がなく、任意の側部を開放できるので、トラックや車を倉庫に横付けすることによって、荷物１０を手で運ぶ距離を短くすることができ大変快適である。
【００２９】
また、人力で運ぶことができない程の重量のある荷物１０を蛇腹式倉庫兼作業場１に搬出入する場合にも、中間部支柱２−２、分割部支柱２−３及び被覆資材４を畳むこと又は分割部支柱２−３を分割させることによって、屋根が開かれるので、クレーン車１２やキャブバッククレーン車（ユニック車）を使用して荷物１０を吊上げることができるので、搬出入が可能となる。
【００３０】
また、蛇腹式倉庫兼作業場１を作業場として使用する場合において、中間部支柱２−２、分割部支柱２−３及び被覆資材４を畳むこと又は分割部支柱２−３を分割させて使用すれば、作業場の屋根と側壁が存在しない存在しない状態となるので、換気が必要な作業、例えば、塗装や溶接作業を行うのに都合がよい。
【００３１】
また、同様に、蛇腹式倉庫兼作業場１を作業場として使用する場合において、作業終了時の作業場１１における片付けが、分割又は畳んでいた中間部支柱２−２、分割部支柱２−３及び被覆資材４を展開するだけで倉庫の状態となり、大変楽で、しかも、簡単に、作業に使った物が盗難にあわず、また、雨に濡れないようにすることができる。
【００３２】
また、同様に背丈の低い蛇腹式倉庫兼作業場１を作業場として使用して作業する場合に、中間部支柱２−２、分割部支柱２−３及び被覆資材４を分割又は畳めば、作業員は屋根で頭をぶつけることなく作業でき、作業終了時に展開すれば、すばやく片付けができる。したがって、背の低い工作物を作る作業場においては、蛇腹式倉庫兼作業場１を低くすることで、材料費を安く抑えることもできる。
【００３３】
また、作業場１１として使用する場合において、支柱２−２、２−３及び被覆資材４を展開すれば、作業場１１内に風が入らないので、軽量な物も風であおられたり、埃が入ることがなく、特に冬期において作業者は寒い思いをせずに作業できる。
【００３４】
また、支柱２−２、２−３を畳んだ状態にすれば、蛇腹式倉庫兼作業場を清掃した場合においても、換気ができて、荷物置き場兼作業場１１の乾きも早く大変便利である。
【産業上の利用可能性】
【００３５】
簡易な倉庫や作業場として、広く利用することができる。
【符号の説明】
【００３６】
１：蛇腹式倉庫兼作業場          
２−１：端部支柱（固定）              ２−２：中間部支柱（摺動）  
２−３：分割部支柱（摺動）  
２−１−ａ：端部支柱脚部（緊張固定部）  
２−１−ｂ：端部支柱頂部（緊張固定部）
２−２−ａ：中間部支柱脚部            ２−２−ｂ：中間部支柱頂部
３ａ：脚部レール                      ３ｂ：頂部レール
４：被覆資材                
４ａ：妻部用被覆資材                  ４ｂ：被覆資材支柱連結部
５：支柱分割部連結部材    
６：端部支柱固定具
７：妻部用被覆資材固定具
１０：荷物
１１：置き場兼作業床
１２：クレーン車
【図１】
2013011113.tif 000003
【図２】
2013011113.tif 000004
【図３】
2013011113.tif 000005